(57)【要約】【課題】水に濡れたときに表面に図柄や文字などを現出させる機能をもったコースターを、より製造容易で低廉供給可能なものとさせながら、水に濡れたときには前記図柄や文字などを効果的に現出させ得るものにする。【解決手段】実質的に白色の紙製の表層３と、前記表層３の裏側において前記表層３に重ね合わされると共に前記表層３よりも明度の低い色を持った紙製の第二層４と、印刷により前記表層３の一部に形成される実質的に白色のインキ層６とを備えてなる。前記表層３が水に濡れたときに、前記表層３のうち前記インキ層６の形成されていない部分から前記第二層４の色が透けて見えるようになっている。【選択図】図２
2015085135.tif 000002
【特許請求の範囲】
【請求項１】
実質的に白色の紙製の表層と、
前記表層の裏側において前記表層に重ね合わされると共に前記表層よりも明度の低い色を持った紙製の第二層と、
印刷により前記表層の一部に形成される実質的に白色のインキ層とを備えてなり、
前記表層が水に濡れたときに、前記表層のうち前記インキ層の形成されていない部分から前記第二層の色が透けて見えるようになっている、コースター。
【発明の詳細な説明】
【技術分野】
【０００１】
この発明は、コップ、グラス、ジョッキなどの、主として飲料用の食器の下に敷かれて用いられるコースターの改良に関する。
【背景技術】
【０００２】
紙製の支持体の表面に、非変色層を印刷により形成し、さらに、この非変色層上に多孔質層を印刷により形成し、さらに、この多孔質層上に印刷により撥水性樹脂層を形成し、多孔質層を白色とし、撥水性樹脂層を透明としたコースターとして、特許文献１に示されるものがある。
【０００３】
この特許文献１のコースターにあっては、コースターの表面に水が付着すると、多孔質層のうち撥水性樹脂層で覆われてない箇所は水を吸って透明化し、コースターの表面に非変色層の色が顕在化する。これにより、コースターの使用時に結露などによりコップなどの外面に付着した水がコースターを濡らすとコースターの表面に図柄や文字などが現出されるようになっている。
【先行技術文献】
【特許文献】
【０００４】
【特許文献１】特開２００４−１２１６９８号公報
【発明の概要】
【発明が解決しようとする課題】
【０００５】
この発明が解決しようとする主たる問題点は、水に濡れたときに表面に図柄や文字などを現出させる機能をもったコースターを、特許文献１のものに比し、より製造容易で低廉供給可能なものとさせながら、水に濡れたときには前記図柄や文字などを効果的に現出させ得るものにする点にある。
【課題を解決するための手段】
【０００６】
前記課題を達成するために、この発明にあっては、コースターを、実質的に白色の紙製の表層と、
前記表層の裏側において前記表層に重ね合わされると共に前記表層よりも明度の低い色を持った紙製の第二層と、
印刷により前記表層の一部に形成される実質的に白色のインキ層とを備えてなり、
前記表層が水に濡れたときに、前記表層のうち前記インキ層の形成されていない部分から前記第二層の色が透けて見えるようになっている、ものとした。
【０００７】
コースターが水に濡れていないときは、インキ層と表層とは同じ白色であるので、インキ層によって表層上に表された図柄や文字などは見えないか、見えにくい状態にある。コースターが水に濡れると、表層のうち前記インキ層の形成されていない部分から前記第二層の色が透けて見えると共に、この第二層の色は表層より明度の低い色であるので、白色のインキ層によって表層上に表された図柄や文字などが明瞭に見えるようになる。
【発明の効果】
【０００８】
この発明にかかるコースターは、表層と第二層はいずれも紙製であり、その表層上に図柄や文字などを前記インキ層によって施してなる、製造容易で低廉供給可能な構成でありながら、水に濡れたときに前記図柄や文字などを効果的に現出させ得る特長を有する。
【図面の簡単な説明】
【０００９】
【図１】図１は、この発明の一実施の形態にかかるコースター（第一例）の斜視構成図であり、コースターが水に濡れていない状態を示している。
【図２】図２は、図１におけるＡ−Ａ線位置での断面構成図である。
【図３】図３は、図１のコースターが水に濡れた状態を示した斜視構成図である。
【図４】図４は、この発明の一実施の形態にかかるコースター（第二例）の要部断面構成図である。
【図５】図５は、この発明の一実施の形態にかかるコースター（第三例）の要部断面構成図である。
【図６】図６は、第一例のコースターの外形を変形させた例を示した斜視構成図である。
【図７】図７は、図６のコースターが水に濡れた状態を示した斜視構成図である。
【発明を実施するための形態】
【００１０】
以下、図１〜図７に基づいて、この発明の典型的な実施の形態について、説明する。この実施の形態にかかるコースターＣは、コップ、グラス、ジョッキなどの、主として飲料用の食器の下に敷かれて用いられる。かかるコースターＣは、前記食器の底部に接する表面１と、裏面２とを有する面状体である。その外郭形状は、必要に応じて適宜変更して構わない。図示の例では、図１のものは略正方形状を呈しており、図６のものは円形状を呈している。典型的には、コースターＣの厚さは、１ｍｍ前後とされるが、その厚さも必要に応じて適宜変更した構わない。
【００１１】
コースターＣは、表層３と、この表層３の裏側において前記表層３に重ね合わされる第二層４とを有する積層構造となっている。表層３及び第二層４はいずれも紙製である。表層３がコースターＣの前記表面１を構成する。コースターＣが表層３及び第二層４の二層構造の場合、第二層４がコースターＣの前記裏面２を構成する（図２）。コースターＣは、第二層４の裏側にさらに一又は複数の層を重ねて構成しても構わない。コースターＣが三層以上の積層構造の場合、コースターＣの前記裏面２はこれらのうちのもっとも下の層５により構成されることとなる（図４）図示は省略するが、表層３には、エンボス加工などにより複数の凹凸を形成させるようにしても構わない。
【００１２】
前記表層３は、実質的に白色である。典型的には、かかる表層３は、白色の厚紙から構成される。
【００１３】
前記第二層４は、前記表層３よりも明度の低い色を持っている。かかる第二層４も典型的には厚紙から構成される。図２の例では、かかる第二層４は、全体として、前記表層３よりも明度の低い色としている。図５の例では、かかる第二層４は、第一層に接し合う側４ａのみを、前記表層３よりも明度の低い色としている。表層３と第二層４とは、典型的には、接着により一体化される。
【００１４】
前記表層３上には、印刷によりその一部に実質的に白色のインキ層６が形成されている。かかるインキ層６は、典型的には、撥水性のインキを用いて形成される。かかるインキ層６によって、前記表層３上、つまり、コースターＣの表面１に、所望の図柄や文字などが施される。図示の例では、コースターＣの表面１に前記インキ層６によって三角形を表している。
【００１５】
そして、前記表層３は、吸水性を持ち、かつ、水に濡れたときに、前記表層３のうち前記インキ層６の形成されていない部分から前記第二層４の色を透けて見えさせる構成となっている。
【００１６】
コースターＣが水に濡れていないときは、インキ層６と表層３とは同じ白色であるので、インキ層６によって表層３上に表された図柄や文字などは見えないか、見えにくい状態にある。（図１、図６）コースターＣが水に濡れると、表層３のうち前記インキ層６の形成されていない部分から前記第二層４の色が透けて見えると共に、この第二層４の色は表層３より明度の低い色であるので、白色のインキ層６によって表層３上に表された図柄や文字などが明瞭に見えるようになる。（図３、図７）
【００１７】
第二層４の色を、茶色、灰色、または黒色とすると、コースターＣが水に濡れたときに、前記インキ層６によって表層３上に表された図柄や文字などがきわめて明瞭に見えるようになる。
【００１８】
なお、当然のことながら、本発明は以上に説明した実施態様に限定されるものではなく、本発明の目的を達成し得るすべての実施態様を含むものである。
【符号の説明】
【００１９】
３  表層
４  第二層
６  インキ層
【図１】
2015085135.tif 000003
【図２】
2015085135.tif 000004
【図３】
2015085135.tif 000005
【図４】
2015085135.tif 000006
【図５】
2015085135.tif 000007
【図６】
2015085135.tif 000008
【図７】
2015085135.tif 000009